(57)【要約】【課題】片手持ちまたは装着型放射線測定機器において用いられるパスワードを強固なものとする。【解決手段】装着型放射線測定機器である個人線量計１０は、４桁の表示部２４と電源ボタン３４と設定ボタン３６を有する。パスワードは、少なくとも一つの４桁のパスワードセグメントを含む４桁以下のパスワードセグメントで構成される。電源ボタン３４を押して桁ごとに数字を選択し、設定ボタン３６を押してこの桁の数字を決定し、同時に入力対象の桁を隣の桁に移動し、これを順次実行しパスワードセグメントを入力する。次に、設定ボタン３６を、パスワードセグメントに対応して予め定められた回数押して、鍵操作を行う。パスワードセグメントの一致と鍵操作の一致に基づき、パスワードを受け付ける。【選択図】図７
2015060387.tif 000002
【特許請求の範囲】
【請求項１】
表示桁数がＭ（Ｍ≧２）桁の表示部を有する片手持ちまたは装着型放射線測定機器のパスワード入力方法であって、
パスワードは、少なくとも１個のＭ桁のパスワードセグメントを含むＮ個（Ｎ≧２）のＭ桁以下のパスワードセグメントからなり、
一つのパスワードセグメントを入力する入力ステップと、
一つの入力ステップに対応した予め定められた鍵操作を行う鍵操作ステップと、
を含み、
Ｎ個のパスワードセグメントに対し、順次、前記入力ステップと前記鍵操作ステップを行う片手持ちまたは装着型放射線測定機器のパスワード入力方法。
【請求項２】
請求項１に記載の片手持ちまたは装着型放射線測定機器のパスワード入力方法であって、
当該放射線測定機器は、表示部の各桁の文字を桁ごとに入力する１個の文字入力操作子と、入力対象となる桁を変更する１個の桁変更操作子と、を有し、
前記入力ステップは、文字入力操作子を操作して一つの桁の文字を入力し、桁変更操作子を操作して入力対象の桁を次の桁に変更すると同時に変更前の桁の文字を決定し、順次同様に各桁の文字を決定するステップであり、
前記鍵操作ステップは、予め定められた回数の桁変更操作子の操作を含むステップである、
片手持ちまたは装着型放射線測定機器のパスワード入力方法。
【請求項３】
請求項２に記載の片手持ちまたは装着型放射線測定機器のパスワード入力方法であって、
パスワードセグメントの桁数が、全てＭ桁であり、
桁変更操作子は、入力対象となる桁を、固定された方向に１桁移行する操作子であり、
前記鍵操作ステップの桁変更操作子の操作の回数は、（ｋＭ＋１）回（ｋは、自然数）である、
片手持ちまたは装着型放射線測定機器のパスワード入力方法。
【請求項４】
請求項１に記載の片手持ちまたは装着型放射線測定機器のパスワード入力方法であって、
当該放射線測定機器は、表示部の各桁の文字を桁ごとに選択する１個の文字入力操作子と、選択対象となる桁を変更する１個の桁変更操作子と、を有し、
前記入力ステップは、文字入力操作子を操作して一つの桁の文字を入力し、桁変更操作子を操作して入力対象の桁を次の桁に変更すると同時に変更前の桁の文字を決定し、順次同様に次の桁の文字を決定するステップであり、
前記鍵操作ステップは、文字入力操作子を操作して、少なくとも一つの桁について、その桁のパスワードセグメントの文字を、２回以上の予め定められた回数表示させる操作を含むステップである、
片手持ちまたは装着型放射線測定機器のパスワード入力方法。
【請求項５】
請求項２から４のいずれか１項に記載の片手持ちまたは装着型放射線測定機器のパスワード入力方法であって、
当該放射線測定機器は、電源のオンオフを行う操作ボタンと、機能の設定操作を行う操作ボタンとを有し、これら２個の操作ボタンの一方が文字入力操作子であり、他方が桁変更操作子である、
片手持ちまたは装着型放射線測定機器のパスワード入力方法。
【請求項６】
請求項１から５のいずれか１項に記載の片手持ちまたは装着型放射線測定機器のパスワード入力方法であって、
当該放射線測定機器は補助表示部を有し、補助表示部が入力済みのパスワードセグメントの個数に対応した表示を行うステップを有する、
片手持ちまたは装着型放射線測定機器のパスワード入力方法。
【請求項７】
請求項６に記載の片手持ちまたは装着型放射線測定機器のパスワード入力方法であって、補助表示部は、コロンおよび小数点を表示する表示部である、片手持ちまたは装着型放射線測定機器のパスワード入力方法。
【請求項８】
請求項１から７のいずれか１項に記載の片手持ちまたは装着型放射線測定機器のパスワード入力方法であって、パスワード入力操作中に異常値が検出された場合、パスワード入力操作を強制終了する、片手持ちまたは装着型放射線測定機器のパスワード入力方法。
【発明の詳細な説明】
【技術分野】
【０００１】
本発明は、放射線の測定に用いられる比較的小形の放射線測定機器、具体的には片手で持って使用する片手持ち放射線測定機器、および作業者の身体に装着して使用する装着型放射線測定機器に関する。
【背景技術】
【０００２】
片手持ち放射線測定機器として、一部のサーべーメータが知られている。サーべーメータは、本体とプローブをケーブルで接続した本体とプローブが別体のものや、表示器、検出部、操作部等が一つの筐体に収められ一体に構成されたものが知られている。前者は、例えば本体を左手で、プローブを右手で持ち使用する。後者は、一体型であるので、片手で取り扱うことができ、また片手で保持したとき、手で隠れない位置に表示器が設けられている。後者のサーベイメータを片手持ちサーベイメータと記す。
【０００３】
装着型放射線測定機器として個人線量計が知られている。個人線量計は、放射性物質または放射線を取り扱う施設で作業に従事する作業者の被曝管理のために、あるいは一般人の被曝管理のために利用される測定器である。通常、個人線量計は、放射線センサ、電子回路およびバッテリを有する。放射線センサは、放射線（例えばガンマ線）を測定するものである。電子回路において、放射線センサからの出力信号に基づいて、線量、線量当量、積算線量、積算線量当量等が演算される。この演算結果を表示するために、本体に表示部を有する個人線量計が知られている。
【０００４】
個人線量計は、一般に、作業者等の胸ポケットの内部に又は外側に配置される。個人線量計がベルトに装着される場合もある。紐を利用して首から個人線量計がぶら下げられることもある。ポケット内に収められる個人線量計においては、装着状態された状態で、通常、ポケット上辺から個人線量計の頭部が露出する。そのような頭部の中に放射線センサが配置されている。特許文献１，２には従来の個人線量計の例が示されている。
【先行技術文献】
【特許文献】
【０００５】
【特許文献１】特開２００２−１３１４３５号公報
【特許文献２】特開平８−３１３６３４号公報
【発明の概要】
【発明が解決しようとする課題】
【０００６】
前述のように、装着型放射線測定機器である個人線量計は、通常、作業者が胸ポケット等に装着して携帯するものであるから、小形であることが望まれる。また、片手持ちサーべーメータも取扱いを容易にするため小形であることが望まれる。そのため、表示部の大きさや、電源スイッチや設定変更のためのスイッチ等の操作子の数が制限される。表示部の大きさが制限されると、表示可能な桁数または文字数が制限される。
【０００７】
また、個人線量計などの小形の放射線測定機器において、その設定変更が誤って、または容易に行われないようするためにパスワード機能を設けることが望まれている。しかし、上述のように、表示部の桁数が制限されると、パスワードの文字数も制限され、十分なパスワード機能を得られないことがある。また、操作子の数が制限されると、パスワードに用いる文字も制限される場合があり、この場合にも十分なパスワード機能を得られない場合がある。
【０００８】
本発明は、表示部の大きさ、および操作子の数の一方または双方について制限を受ける小形の放射線測定機器、具体的には片手持ちまたは装着型放射線測定機器において、強固なパスワード機能を付与することを目的とする。
【課題を解決するための手段】
【０００９】
本発明は、表示桁数がＭ（Ｍ≧２）桁の表示部を有する片手持ちまたは装着型放射線測定機器のパスワード入力方法に関する。パスワードは、表示桁数と同じ桁数、つまりＭ桁のパスワードセグメントを少なくとも一つ含むＮ（Ｎ≧２）個のＭ桁以下のパスワードセグメントからなる。なお、Ｍ，Ｎは、自然数である。例えば、表示桁数が４桁であり、パスワードセグメントが２個の場合、パスワードは８桁となる。まず、一つのパスワードセグメントを入力する入力ステップが実行される。そして、入力されたパスワードセグメントに対応した鍵操作を行う鍵操作ステップが実行される。Ｎ個のパスワードセグメントに対して、順次、入力ステップと鍵操作ステップが実行される。鍵操作ステップは、各入力ステップに対して共通の操作であってよく、また入力ステップの順番ごとに異なる操作を定めてもよい。各パスワードセグメントおよび各鍵操作が予め記憶されているものと一致することでパスワードが受け入れられ、パスワードによるロックが解除される。前記の鍵操作は、パスワードと共にロックを解除するための鍵となっている。
【００１０】
本発明に係る片手持ちまたは装着型放射線測定機器は、表示部の各桁の文字を桁ごとに選択する１個の文字入力操作子と、入力対象となる桁を変更する１個の桁変更操作子と、を有するものとできる。前記の入力ステップは、文字入力操作子を操作して一つの桁の文字を入力し、桁変更操作子を操作して入力対象の桁を次の桁に変更すると同時に変更前の桁の文字を決定し、順次同様に各桁の文字を決定するステップとすることができる。前記の鍵操作ステップは、予め定められた回数の桁変更操作子の操作を含むステップとすることができる。
【００１１】
文字入力操作子は、文字選択の対象となっている桁に関し、予め定められた文字を予め定められた順番に従って、この操作子を操作するごとに順次循環的に表示する機能を有するものとできる。桁変更操作子は、この操作子を操作するごとに、文字入力の対象となる桁を固定された方向に１桁移動する機能を有するものとすることができる。例えば、桁変更操作子を操作するごとに、右隣の桁に入力対象の桁を変更するようにできる。一つの桁について、文字入力操作子の操作により所望の文字を表示させた後、桁変更操作子によって文字入力の対象となる桁を変更する。この桁変更操作子の操作により、元の桁の文字が決定する。桁ごとの文字を順次決定し、Ｍ桁の入力を終えると、鍵操作として桁変更操作子を予め定められた回数操作する。その後、次のパスワードセグメントの入力、および鍵操作を行う。
【００１２】
前記の鍵操作ステップは、文字入力操作子の操作を含むものとすることもできる。例えば、一つのパスワードセグメントを入力後、少なくとも一つの桁について、その桁のパスワードセグメントの文字を、文字入力操作子を操作して予め定められた回数表示させる操作を含むものとすることができる。
【００１３】
また、本発明に係る片手持ちまたは装着型放射線測定機器は、電源のオンオフを行う操作ボタンと、機能の設定操作を行う操作ボタンとを有するものとすることができる。そして、これら２個の操作ボタンの一方を文字入力操作子とすることができ、他方を桁変更操作子とすることができる。
【００１４】
さらに、本発明に係る片手持ちまたは装着型放射線測定機器は、補助表示部を有するものとでき、補助表示部は、入力済みのパスワードセグメントの個数に対応した表示を行うものとできる。補助表示部は、例えば、コロンおよび小数点を表示する表示部とすることができる。
【００１５】
さらにまた、パスワード入力操作中に、測定中の放射線に関する値に異常値が検出された場合、パスワードの入力操作を強制終了するようにできる。
【発明の効果】
【００１６】
本発明によれば、表示器の表示桁数が制限される場合にも、パスワードを、少なくとも一つの表示桁数のパスワードセグメントを含む複数のパスワードセグメントからなるようにしたことにより、表示桁数より多い桁数のパスワードの入力が可能となり、強固なパスワードとなる。また、パスワードセグメントに対応した予め定められた鍵操作を行うことで、より強固なパスワードとなる。
【図面の簡単な説明】
【００１７】
【図１】本発明に係る個人線量計の好適な実施形態を示す第１の斜視図である。
【図２】図１に示した個人線量計の第２の斜視図である。
【図３】図１に示した個人線量計の背面図である。
【図４】図１に示した個人線量計を構成する本体及びアタッチメント機構を示す斜視図である。
【図５】図１に示した個人線量計の側面図である。
【図６】表示器の詳細を示す図である。
【図７】本発明に係る個人線量計の回路の概略構成を示す図である。
【図８】メンテナンスパスワードの入力に関するフローチャートである。
【図９】表示器による「ＰＡＳＳ」の表示例である。
【図１０】第１パスワードセグメント入力時の表示例を示す図である。
【図１１】第２パスワードセグメント入力時の表示例を示す図である。
【図１２】パスワードがクリアされたことを示す表示の例を示す図である。
【発明を実施するための形態】
【００１８】
以下、本発明の実施形態を図面に従って説明する。以下においては、小形の放射線測定機器として個人線量計を例に挙げて説明する。しかし、片手持ちサーベイメータなどの、表示部の大きさや操作ボタンの数に制限を受ける他の小形の放射線測定機器についても、以下に説明するパスワード入力方法を採用することができる。
【００１９】
図１には、本発明に係る個人線量計の好適な実施形態が示されており、図１はその斜視図である。個人線量計１０は、放射線または放射性物質を取り扱う施設において作業する作業者に装着されるものである。もちろん、個人線量計が一般人に装着されてもよい。個人線量計は、個人の被曝管理において用いられるものであり、放射線（例えば、ガンマ線）の線量、線量当量、積算線量、積算線量当量等を測定し、それを表示する機能を備えている。本実施形態の個人線量計は、作業者の胸ポケットに装着される携帯型の個人線量計である。しかし、他の部位に装着される個人線量計にも本発明は適用可能である。なお、以下で記す上、下、左、右、前および後の向きを示す語句は、特に断りのない限り、この個人線量計を胸ポケットに装着した作業員にとっての向きを表す。
【００２０】
図１において、個人線量計１０は、大別して、本体１２と、アタッチメント機構１４と、を有する。本体１２は、およそ直方体形状を有しており、本体１２を基準として見た場合において、その右側には右端部１６が設けられており、その左側には左端部１８が設けられている。各端部１６，１８は図１において本体１２から水平方向外側に突出した部分である。また、各端部１６，１８は図１において上下方向に伸長しており、側面方向から見て長円または楕円のような形態を有している。
【００２１】
本体１２は、内部に放射線センサとしての半導体センサが設けられている本体ケースを有する。半導体センサは、本体１２内における上部に配置されており、半導体センサにより検出される放射線（ガンマ線）が符号２０で示されている。本体ケースの内部には、さらに基板、バッテリ、電子回路、ブザー等の電子部品が設けられている。本体１２の上面２２は前方が下がるようにやや傾斜しており（図５参照）、上面２２には表示器２４が設けられている。上面２２が前方に向けて傾斜していることにより、作業者が表示器２４をのぞき込むようにして見るとき、表示器２４が作業者の視線に対し正面を向くようになり、視認性が高められている。表示器２４は、測定された数値（線量、線量当量、積算線量、積算線量当量等）の表示を行う。表示器２４は、個人線量計１０の、測定された数値を表示する表示部として機能する。表示器２４は、例えば液晶表示器とすることができる。上面２２には、さらにＬＥＤ２６が設けられている。このＬＥＤ２６は、例えば異常値が検出された場合に、発光してこれを報知する機能を有する。本体１２の前面２８において、上下方向の中間レベルよりもやや上側にブザーのための開口３０が形成されている。
【００２２】
左端部１８の端面上にはスイッチ部３２が設けられている。スイッチ部３２は本実施形態において２個の押しボタン型のスイッチ３４，３６により構成されている。一方は、電源ボタン３４であり、他方は設定ボタン３６である。電源ボタン３４は、個人線量計１０の電源のオンオフする機能を有している。また、電源ボタン３４を長押し（所定時間以上押下を続けること）した場合にオンオフを切り替え、短押しの場合には、表示器２４に表示される測定値を切り替えるようにしてもよい。設定ボタン３６は、個人線量計１０の各種の設定を変更する機能を有している。例えば、警報のレベルの設定等を変更する。設定ボタン３６を短押しすることで、設定変更の対象とする機能を呼び出し、長押しによって設定値の変更を行う。このように、本実施形態においては、個人線量計１０における操作部がその側面に設けられている。この個人線量計１０において、備えられている操作子は、電源ボタン３４、設定ボタン３６の２個のみである。
【００２３】
次に、アタッチメント機構１４について説明する。アタッチメント機構１４は本体１２に対して着脱自在に取り付けられるものである（図４参照）。具体的には、アタッチメント機構１４は、右取付部材３８、左取付部材４０およびクリップ部材４２により構成されている。右取付部材３８は、本体の右端部１６に取り付けられる部材であり、具体的には長円または楕円に類似の形状の右端部１６に倣うようにして、その周囲を取り囲む部材として構成されている。同様に、左取付部材４０は、本体の左端部１８を取り囲む形態を有している。クリップ部材４２は、図１に示される例において、右取付部材３８と左取付部材４０との間にそれらを連結するように設けられた部材である。図示の例においては、本体１２の前面側にクリップ部材４２が設けられている。図１において、符号４４は胸ポケットを表しており、その前側の布地４６がクリップ部材４２と本体１２の前面２８の間において挟み込まれる。クリップ部材４２は、後に詳述するように、そのような挟み込みを行う押圧バー４８を備えており、その押圧バー４８に対して弾性力を与えるための２つのアーム５０，５２を有している。図１に示されるように、押圧バー４８は左右方向すなわち水平方向に伸長しており、布地４６を比較的に長い距離をもってあるいは広がった面積をもって押さえ込むことが可能である。
【００２４】
図２には個人線量計を別方向から見た斜視図が示されている。上述した右端部１６においてその上部には挿通孔５４が形成されている。この挿通孔５４はストラップが引っ掛けられるスリットである。右端部１６の下部には、円形の開口が形成され、そこにはキャップ５６が挿入配置されている。このキャップ５６は電池すなわちバッテリを収容する収容室の開口を閉じる部材である。キャップ５６を一方方向に回転させることにより、キャップ５６を開口に取り付けることが可能であり、キャップ５６を他方方向に回転させることにより、キャップ５６を開口から取り外すことが可能である。本実施形態においてはバッテリが本体内部の底部に水平方向に横倒しで設けられる。
【００２５】
図３には個人線量計の背面が示されている。符号５８は赤外線を用いて通信を行うための発光受光素子を示している。背面はおよそ平坦な面を構成している。ちなみに、上述した押圧バーが本体の背面側に設けられるようにアタッチメント機構を取り付けることも可能である。そのような場合において、押圧バーと背面との間に布地が挟み込まれ、本体は胸ポケットの前側に装着されることになる。
【００２６】
図４には、本体１２からアタッチメント機構１４を取り外した状態が斜視図として示されている。まず、本体１２について再び説明すると、本体１２は上述したように、右端部１６及び左端部１８を有している。それらの端部１６，１８は本体１２から見て外側へ突出した形態を有し、その側周囲面には取付溝６０，６２が形成されている。そのような取付溝６０，６２に対して上述した右取付部材３８及び左取付部材４０が嵌め込まれる。
【００２７】
次に、アタッチメント機構１４について詳述する。上述したように、アタッチメント機構１４は、右取付部材３８、左取付部材４０及びクリップ部材４２により構成されている。右取付部材３８は、右取付部材本体６４と連結部品６６とからなるものである。右取付部材本体６４は、一部分が開いた略Ｃ字形であり、この開いた部分を連結部品６６がつないで全体として環状となっている。左取付部材４０も同様であり、略Ｃ字形の左取付部材本体６８と連結部品７０からなり、全体として環状となっている。
【００２８】
右取付部材３８は、本体の右端部１６に設けられた取付溝６０内に配置される。アタッチメント機構１４を本体１２に取り付ける際、連結部品６６を外した状態で右取付部材本体６４を取付溝６０内に配置し、その後に右取付部材本体６４に連結部品６６を結合する。これにより、右取付部材３８が本体の右端部１６に結合する。左取付部材４０も同様にして本体の左端部１８に結合する。取付溝６０，６２内に右取付部材３８および左取付部材４０が収まることにより、アタッチメント機構１４が本体１２に対してしっかりと取り付けられる。アタッチメント機構１４に対して上下方向、左右方向、前後方向に力が加わったとしてもアタッチメント機構１４が本体１２から容易に外れることはない。上述したように、各取付部材３８，４０が各端部１６，１８を完全に抱え込んでいるからである。
【００２９】
クリップ部材４２は、右取付部材３８及び左取付部材４０の前面側において、これらを連結する部分である。クリップ部材４２は具体的には右アーム５０、左アーム５２及び押圧バー４８を有している。右アーム５０及び左アーム５２は側面から見てＳ字形の形状を有している（図５参照）。右アーム５０の根元部分が右取付部材３８に対して一体化されており、右アーム５０はその取付部分から下方に伸長し押圧バー４８の一端と一体化されている。同じく左アーム５２は左取付部材４０に対して一体化されており、また押圧バー４８の他端に対して一体化されている。各アーム５０，５２のＳ字形状により押圧バー４８が保持されており、且つ押圧バー４８に対して本体１２側への弾性付勢力が及ぼされている。押圧バー４８においては、その両端部において弾性力を平行に受けることになる。
【００３０】
押圧バー４８は、本体１２の前面側において、上下方向の中間レベルよりもやや下方に設けられるものであり、水平方向に伸長した部材として構成されている。押圧バー４８は、上下にやや幅広のハンドルを構成するものであり、押圧バーの下側から指先を入れてそれを上方に若干持ち上げることが可能であり、また布地が下から差し込まれる場合、押圧バー４８の背面側のくさび形の隙間によってその布地が受け入れられる。各アーム５０，５２の背面側にはスリットが構成されており、そのスリットに布地が差し込まれる。ちなみに、クリップ部材４２は例えば樹脂により構成されている。
【００３１】
図５には、個人線量計の側面図が示されている。本体１２の上面２２は図示されるように、水平面に対して角度θだけ傾斜している。これにより、表示部の視認性が向上し、表示されている測定値の読み取りが容易となっている。アタッチメント機構において、押圧バー４８は側面から見てＳ字形状をもったアームの下端部に連結されている。各アーム５０，５２は上方から下方にかけて前後方向の幅が徐々に薄くされており、逆に言えば、アームの根元部分においては肉厚の構造が採用されている。これによって、弾性作用を確実に発揮させることが可能となっている。押圧バー４８の背面側には下方に開いた隙間７２が形成されている。そのような隙間７２の中に布地が差し込まれる。また、隙間７２に指先を下側から入れ、押圧バー４８を引っ掛けてこれを本体１２から離れる方向に運動させることにより、個人線量計１０の脱着を行うことが可能である。押圧バー４８の背面側には水平方向に伸長した突出部７４が設けられ、その突出部７４が本体１２の前面２８に接触している。突出部７４は押圧バー４８よりも柔らかい例えばゴム状の部材により構成されている。これによって布地を確実に挟持することが可能であり、また摩擦力が高められているので、個人線量計１０の装着姿勢を安定的に維持することが可能である。
【００３２】
図５に示されるように、各アーム５０，５２の取付部分は本体１２の前側やや上方の位置に設定されている。また、押圧バー４８は、内蔵される半導体センサの前面側を避けて配置されており、押圧バー４８による放射線の減弱といった問題を回避することが可能である。また、各アーム５０，５２の根元、特に各アーム５０，５２と本体１２で形成される隙間７２の上端位置よりも、さらに上方に半導体センサが配置されている。これにより、放射線の測定が、胸ポケット４４を構成する前側の布地４６に影響されることがない。
【００３３】
表示器２４を本体１２の上面２２に配置したことにより、個人線量計１０を胸ポケット４４内に装着したとき、装着した作業者が表示器２４に表示される測定値を読むことができる。一方、胸ポケット４４内に収まるようにするために、個人線量計１０の寸法、特に上面２２の寸法は制限される。このため、上面２２に配置される表示器２４も、寸法、表示桁数に関し制限を受ける。また、電源ボタン３４等の操作ボタンを配置可能な領域も、放射線の検出に影響がない位置に限定され、操作ボタンの数について制約ができる。
【００３４】
図６は、表示器２４を示す図である。表示器２４は、４桁の７セグメント表示による表示器である。図６中の左端の桁を第１桁８０ａとし、右方向に順に第２桁８０ｂ、第３桁８０ｃ、第４桁８０ｄとする。また、説明において各桁を区別しない場合には、桁に対応する符号として８０を用いる。各桁８０は、７セグメント表示器で構成される。各桁８０の間の下方部分には、小数点やピリオドを表す点が設けられる。この点を図６において左から小数点８２ａ，８２ｂ，８２ｃと記す。また、説明において、３個の小数点を区別する必要がないときには、小数点に対応する符号として８２を用いる。第２桁８０ｂと第３桁８０ｃの間には二つの点からなるコロン８４が設けられる。
【００３５】
図７は、個人線量計１０の回路構成の概略を示す図である。個人線量計１０は、放射線を検出するセンサ９０、センサ９０からの信号を処理し測定値を算出する信号処理回路９２を有する。制御部９４は、中央処理装置（ＣＰＵ）９６およびメモリ９８を含む。メモリ９８は、当該個人線量計１０の制御用のプログラム、各種の定数、測定値の積算値、パスワード等を記憶する。また、後述するパスワード入力の際の特定の操作についても記憶する。制御部９４は、前述のスイッチ部３２からの操作に従い動作し、信号処理回路９２により算出された測定値を表示器２４に表示させる制御を行う。また、制御部９４は、スイッチ部３２の操作を受けて、各種の設定変更を実行する。後述するパスワード入力時には、スイッチ部３２の操作を受けて、この操作が予めメモリに記憶されたパスワードを示すものかを判断し、正しいパスワードであれば、当該パスワードに係る機能のロックを解除する。
【００３６】
この個人線量計１０においては、２種類のパスワードを用いている。第１の種類のパスワードは、表示器２４の表示桁数と同じ、４桁のパスワードであって、ユーザが設定可能なパスワードである。この第１の種類のパスワードを「ユーザ設定パスワード」と記す。ユーザは、ユーザ設定パスワードを入力することにより、個人線量計１０の特定の機能を動作しないように、または当該個人線量計１０そのものが動作しないようにロックし、またそのロックを解除することができる。第２の種類のパスワードは、メンテナンス等に用いるパスワードである。例えば、設定されているユーザ設定パスワードを解除するためや、測定に係る定数を変更する作業モードに入るためのパスワードである。この第２の種類のパスワードを「メンテナンスパスワード」と記す。メンテナンスパスワードは、総当たりや、偶然により解除されることがないよう、ユーザ設定パスワードに比して強固なものとすることが望まれる。なお、メンテナンス作業は、原則的には被曝環境でない場所で、個人線量計１０が作業者から取り外された状態で行われる。よって、メンテナンスパスワードの入力も、被曝環境でない場所で行われる。ただし、メンテナンスパスワードの入力操作中にも放射線の検出は継続しており、異常値が検出された場合には、メンテナンスパスワードの入力操作は、強制終了される。
【００３７】
パスワードを強固なものにするためには、桁数を増やす手法が挙げられる。しかし、表示器の大きさが限定されている場合、単純に桁数を増やすことはできない。この個人線量計１０では、表示桁数と同じ４桁のパスワードを複数組み合わせたパスワードを用いることにより、桁数を増加している。以降の説明において、複数の４桁のパスワードのそれぞれを「パスワードセグメント」、複数のパスワードセグメントで構成される全体を「パスワード」と記す。さらに、この個人線量計１０においては、一つのパスワードセグメントを入力した後、次のパスワードセグメントを入力する前に、所定の操作を要求している。パスワードセグメントの入力操作の間に所定の操作を要求することで、パスワードをより強固なものとしている。
【００３８】
また、表示桁数と同じ４桁のパスワードセグメントと、表示桁数より少ない桁数のパスワードセグメントを組み合わせてメンテナンスパスワードを構成することもできる。４桁のパスワードセグメントを含む複数の４桁以下のパスワードセグメントからメンテナンスパスワードを構成することにより、パスワードの桁数を表示桁数である４桁を超える桁数とし、メンテナンスパスワードを４桁のパスワードより強固なものとすることができる。
【００３９】
以下、メンテナンスパスワードの入力方法について説明する。図８は、メンテナンスパスワードの入力方法を示すフローチャートである。図中では、簡単のために、メンテナンスパスワードを「パスワード」、パスワードセグメントを「セグメント」と表記している。ユーザが設定したパスワード（ユーザ設定パスワード）をメンテナンス時に解除する場合を例に挙げて説明する。また、メンテナンスパスワードが８桁の「１２３４５６７８」である場合を例に挙げる。この場合、パスワードセグメントは、第１パスワードセグメントが「１２３４」、第２パスワードセグメントが「５６７８」である。メンテナンスパスワードに用いる文字は、アラビア数字だけでなく、英文字など他の文字も用いることができる。
【００４０】
メンテナンスパスワード入力時における電源ボタン３４および設定ボタン３６の機能について説明する。電源ボタン３４は、数値を入力する機能を有し、具体的には、電源ボタン３４を押すごとに入力対象桁の文字が変更される機能を有する。設定ボタン３６は、数字の変更対象の桁の変更をする機能を有する。電源ボタン３４を押すごとに、対象の桁に表示された数字が０→１→２→・・・と１ずつ増え、９に達すると次には０に戻る。このように、電源ボタン３４により表示される数字を所定の順序に従って循環的に変更することができる。電源ボタン３４を押して、所望の数字を選択した状態で、設定ボタン３６を押すと、その桁の数字が決定し、数字の変更対象の桁が次の桁に移行する。このように、電源ボタン３４は、各桁の文字あるいは数字を桁ごとに入力する１個の文字入力操作子である。また、設定ボタン３６は、入力対象となる桁を変更する１個の桁変更操作子である。
【００４１】
まず、メンテナンスパスワードの入力を開始するための操作を行う（Ｓ１００）。設定ボタン３６を押し続けると、設定操作の項目を示す文字が表示器２４に順次表示され、変更が必要な項目が表示されたところで設定ボタン３６を離す。これにより、その項目の設定変更を行う状態となる。ユーザ設定パスワードを強制的に解除する場合には、表示器２４に「ＰＡＳＳ」が表示されたら（図９参照）、設定ボタン３６を離す。
【００４２】
設定ボタン３６が離されると、第１パスワードセグメントの入力を受け付ける状態となる（Ｓ１０２）。具体的には、表示器２４の第１桁８０ａに点滅した「０」が表示される（図１０の（ａ）参照）。点滅表示は、その桁の数字の入力を受け付けている状態を示している。電源ボタン３４の操作によって、第１桁８０ａを所定の数字（例では「１」）とする（図１０の（ｂ）参照）。第１桁８０ａを「１」にしたら、設定ボタン３６を押し、入力対象の桁を隣の第２桁８０ｂに移動させる（図１０の（ｃ）参照）。そして、電源ボタン３４を操作して、第２桁８０ｂに「２」を表示させる（図１０の（ｄ）参照）。以上を繰り返し、第３桁８０ｃに「３」を、第４桁８０ｄに「４」を入力する（図１０の（ｅ）参照）。
【００４３】
第１パスワードセグメントが第４桁まで入力されたら、次に予め定められた第１鍵操作を行う（Ｓ１０４）。第１鍵操作は、具体的には、設定ボタン３６の所定回数の操作である。特に、この個人線量計１０では、設定ボタン３６を１３回押す。これにより、変更対象の桁が３回ループし、再び第１桁８０ａが変更対象となる。
【００４４】
第１パスワードセグメントおよび第１鍵操作が、予め記憶されたものと一致しているかが判定される（Ｓ１０６）。一方または両方が一致していない場合、ステップＳ１０２に戻って第１パスワードセグメントの入力をやり直す。両方が一致した場合、中央の小数点８２ｂを表示または点滅表示する（Ｓ１０８）。この表示により、第１パスワードセグメントの入力と第１鍵操作が正しく行われたこと、および第２パスワードセグメントの入力を受け付ける状態となっていることを示す。
【００４５】
また、第１パスワードセグメントが入力されたときにこれの一致を判定し、一致していた場合、第１鍵操作を入力するようにしてもよい。第１パスワードセグメントが不一致と判定された場合、その時点で第１パスワードセグメントを入力するステップに戻る。第１鍵操作が不一致の場合にも第１パスワードセグメントを入力するステップに戻る。第１パスワードセグメントまたは第１鍵操作の不一致は、例えば表示器２４の表示を初期値である「００００」とすることにより示すことができる。
【００４６】
次に、第２パスワードセグメントの入力を行う（Ｓ１１０）。第２パスワードセグメントを受け付ける状態では、直前に入力された第１パスワードセグメントの表示が残っており、また前述のように小数点８２ｂが表示されている（図１１の（ａ）参照）。電源ボタン３４を押して第１桁８０ａの数字「５」を選択し、設定ボタン３６を押して第１桁の数字を決定して、第２桁８０ｂの入力に移行する（図１１の（ｂ）参照）。第４桁８０ｄまで「６」「７」「８」を順次入力する（図１１の（ｃ）参照）。
【００４７】
第２パスワードセグメントが第４桁まで入力されたら、次に予め定められた第２鍵操作を行う（Ｓ１１２）。第２鍵操作は、例えば、設定ボタン３６の所定回数の操作である。特に、この個人線量計１０では、設定ボタン３６を９回押す。これにより、変更対象の桁が２回ループし、再び第１桁８０ａが変更対象となる。
【００４８】
第２パスワードセグメントおよび第２鍵操作が、予め記憶されたものと一致しているかが判定される（Ｓ１１４）。一方または両方が一致していない場合、ステップＳ１０２に戻って第１パスワードセグメントの入力からやり直す。両方が一致した場合、コロン８４を表示または点滅表示する（Ｓ１１６）。この表示により、第２パスワードセグメントの入力と第２操作が正しく行われたことを示す。第２パスワードセグメントおよび第２鍵操作の一致判定についても、それぞれの入力、操作ごとに段階的に判定するようにしてもよい。
【００４９】
また、ステップＳ１１６で第２パスワードセグメントおよび第２鍵操作の一方または両方が不一致の場合、ステップＳ１１０に戻るようにしてもよい。この場合、表示器２４に第１パスワードセグメント「１２３４」と小数点８２ｂの一方または双方を表示することで、第２パスワードセグメントの入力を受け付けている状態であることを示すことができる。
【００５０】
次に、メンテナンスパスワードの入力終了操作を行う（Ｓ１１８）。この操作は、例えば、電源ボタン３４と設定ボタン３６の同時押しとすることができる。また、設定ボタン３６の長押しとしてもよい。また、この操作により記憶されていたユーザ設定パスワードを初期値、例えば「００００」とする。このとき、表示器２４にパスワードがクリアされたことを示す「ＰｃＬｒ」を表示してもよい（図１２参照）。
【００５１】
図８に示す処理フローおよびその説明から、小数点８２ｂおよびコロン８４が、入力済みのパスワードセグメントの個数に対応した補助表示を行うものであることが理解できる。つまり、小数点８２ｂは、１個のパスワードセグメントが入力済みの状態を示しており、コロン８４は、２個のパスワードセグメントが入力済みの状態を示している。
【００５２】
以上の説明においては、２個の４桁のパスワードセグメントから構成される８桁のメンテナンスパスワードを例に挙げたが、３個以上の４桁のパスワードセグメントから構成されるメンテナンスパスワードについても同様に入力することができる。Ｎ個の４桁のパスワードセグメントを入力する場合、図８のステップＳ１０２〜Ｓ１０６、またはステップＳ１１０〜Ｓ１１４をＮ回繰り返す。
【００５３】
また、４桁のパスワードセグメントと、３桁以下のパスワードセグメントを組み合わせたメンテナンスパスワードを用いることもできる。この場合、例えば、まず図８のステップＳ１０２〜Ｓ１０６に従って４桁のパスワードセグメントを入力し、その後、３桁以下のパスワードセグメントを入力する。３桁以下のパスワードセグメントの入力については、４桁のパスワードセグメントと基本的に同様であるが、第１桁から第３桁まで入力した後、鍵操作を行って入力するようにしてよい。
【００５４】
各鍵操作は共通であってもよい。鍵操作は、最も簡単な操作として、設定ボタン３６を１回押す操作としてもよい。設定ボタン３６を１回押す操作は、パスワードセグメントが４桁である場合、変更対象の桁を第４桁８０ｄから第１桁８０ａに戻す操作となる。しかし、パスワードをより強固なものとするためには、通常の操作と区別される操作、例えば前述の第１鍵操作、第２鍵操作のように入力対象桁を複数回ループする操作とすることが好ましい。また、鍵操作は、第１桁８０ａに戻るだけでなく、他の桁へ移行する操作であってもよい。この場合、次のパスワードセグメントの入力は、第１桁８０ａではなく、移行した桁からの入力となる。例えば、第１パスワードセグメントの入力後の第１鍵操作を設定ボタン３６を６回押す操作とすると、変更対象の桁が第４桁８０ｄから第２桁８０ｂに移行する。そして、第２パスワードセグメントは第２桁、第３桁、第４桁、第１桁の順で入力する。
【００５５】
鍵操作は、電源ボタン３４を利用するものであってもよい。例えば、一つのパスワードセグメントを入力した後、予め定められた桁の数字を電源ボタン３４を１０回押して表示を１回循環させて再度元の数字とする操作を含んでよい。２回以上循環させてもよい。この電源ボタン３４の操作と、上記の設定ボタン３６の操作を組み合わせてもよい。
【００５６】
図８のステップＳ１１８のパスワード入力終了操作において、入力された各パスワードセグメントおよび各鍵操作が予め記憶されてるものと一致するか、再度確認するようにしてもよい。この確認を行うために、パスワードセグメントおよびこのパスワードセグメントに対応した鍵操作の一致を判定した後、その都度パスワードセグメントおよび鍵操作のログを記憶するようにする。例えば、ステップＳ１０６の後およびステップＳ１１４後に、それぞれ入力されたパスワードセグメントおよび鍵操作のログを記憶するステップを設ける。パスワード入力終了時点において、この記憶されているパスワードセグメント、鍵操作の一致を判定する。
【００５７】
以上の説明においては、４桁を超え、鍵操作と組み合わされたパスワードをメンテナンスパスワードとして利用する例を挙げたが、他のパスワードに用いることもできる。
【符号の説明】
【００５８】
１０  個人線量計、１２  本体、２４  表示器、３２  スイッチ部、３４  電源ボタン、３６  設定ボタン、８０，８０ａ〜ｄ  桁、８２ａ〜ｃ  小数点、８４  コロン。
【図１】
2015060387.tif 000003
【図２】
2015060387.tif 000004
【図３】
2015060387.tif 000005
【図４】
2015060387.tif 000006
【図５】
2015060387.tif 000007
【図６】
2015060387.tif 000008
【図７】
2015060387.tif 000009
【図８】
2015060387.tif 000010
【図９】
2015060387.tif 000011
【図１０】
2015060387.tif 000012
【図１１】
2015060387.tif 000013
【図１２】
2015060387.tif 000014